(57)【要約】【課題】電磁リレーを小型化する際にも、接極子と鉄芯との吸着部の面積を十分に確保できるようにして、可動接点と固定接点との接離動作に支障がでないようにした電磁リレーを提供する。【解決手段】鉄芯１をボビン本体３２の中央に貫通させ、該ボビン本体３２には通電コイル３１を巻装したコイルボビン３と、鉄芯１に固定され、可動接点９１、９２を有した板バネ９を固着させた接極子８を揺動可能に取付けた継鉄２とを備えており、通電コイル３１への通電によって鉄芯１と接極子８とを吸着させて、可動接点９１，９２を固定接点７，６２に接離させる電磁リレーにおいて、鉄芯１は、接極子８の対向する部分の寸法形状に合致した面積Ｓの頭部１ａを、吸着部として備えている。【選択図】図１
2007317505.tif 000002
【特許請求の範囲】
【請求項１】
鉄芯をボビン本体の中央に貫通させ、該ボビン本体には通電コイルを巻装したコイルボビンと、上記鉄芯に固定され、可動接点を有した板バネを固着させた接極子を揺動可能に取付けた継鉄とを備え、上記通電コイルへの通電によって上記鉄芯と上記接極子とを吸着させて、上記可動接点を固定接点に接離させる電磁リレーにおいて、
上記鉄芯は、上記接極子の対向する部分の寸法形状に合致した面積の頭部を、接極子吸着面として備えていることを特徴とする電磁リレー。
【請求項２】
請求項１において、
上記鉄芯の頭部は、略５角形状に形成されていることを特徴とする電磁リレー。
【発明の詳細な説明】
【技術分野】
【０００１】
本発明は、通電コイルへの通電によって鉄芯に発生する磁束で接極子を吸着させて、可動接点と固定接点との接離動作をなす電磁リレーに関する。
【背景技術】
【０００２】
この種の電磁リレーの基本構造は公知であり、下記特許文献１は、この種の電磁リレーを提案し開示している。
この電磁リレーでは、通電コイルを巻装したボビン本体の中央に鉄芯を貫通させたコイルボビンと、鉄芯に固定され、可動接点を有した板バネを固着させた接極子を揺動可能に取付けた継鉄とを備えており、通電コイルへの通電によって鉄芯と接極子とを吸着させて、可動接点と固定接点との接離動作をなすようにしている。
【０００３】
図６は、この種の電磁リレーの要部構造を示す図であり、（ａ），（ｂ）は鉄芯、（ｃ）、（ｄ）は接極子と鉄芯との位置関係を示す説明図である。
【０００４】
鉄芯１００は、接極子吸着面となる頭部１００ａと、継鉄２００に形成された孔部２００ａに貫通させる上端部１００ｂとを備えている。
継鉄２００は、鉄芯１００が貫通されて結合される他、接極子８００が揺動可能に取付けられ、図示しない板バネの弾性力が鉄芯１００から離隔する方向に付勢されている。
このような構造では、図示しない通電コイルに通電すると、鉄芯１００に磁束が発生し、接極子８００が鉄芯１００の頭部１００ａに吸着されて、板バネに形成した可動接点を、固定接点に接離させる動作をなす。
【特許文献１】実開平３−３２３４５号公報
【発明の開示】
【発明が解決しようとする課題】
【０００５】
ところで、このような電磁リレーを小型化する際には、構成部品の大きさが小さくなるが、鉄芯１００の形状が従来のままでは、接極子８００の吸着部分の面積（Ｓ’：図６参照）も小さくなってしまい、そのため、接極子の吸着力も減少し、可動接点と固定接点とのスムーズな接離動作に支障が出るおそれがある。
【０００６】
本発明は、このような事情を考慮して提案されたものであり、電磁リレーを小型化する際にも、接極子の吸着力を軽減させることなく、可動接点と固定接点との接離動作をスムーズに行うことのできる電磁リレーを提供することを目的とする。
【課題を解決するための手段】
【０００７】
上記目的を達成するために、本発明の請求項１では、鉄芯をボビン本体の中央に貫通させ、該ボビン本体には通電コイルを巻装したコイルボビンと、鉄芯に固定され、可動接点を有した板バネを固着させた接極子を揺動可能に取付けた継鉄とを備え、通電コイルへの通電によって上記鉄芯と上記接極子とを吸着させて、可動接点を固定接点に接離させる電磁リレーにおいて、鉄芯は、接極子の対向する部分の寸法形状に合致した面積の頭部を、接極子吸着面として備えている。
【０００８】
請求項２では、鉄芯の頭部は、略５角形状に形成されていることを特徴とする。
【発明の効果】
【０００９】
請求項１、２によれば、鉄芯の吸着部となる頭部の形状が、接極子の対向する部分の形状に合致させた寸法形状に形成されているので、電磁リレーを小型化する際にも、鉄芯側の接極子吸着面の面積が確保され、吸着力を軽減することなく、可動接点と固定接点との接離動作をスムーズにできる利点がある。
特に、請求項２によれば、略５角形状としているので、接極子の対向する部分の形状が略５角形状の場合には、その形状に合致したものとなる。
【発明を実施するための最良の形態】
【００１０】
以下に、本発明の実施の形態について説明する。
【００１１】
図１は、本発明の電磁リレーの分解斜視図である。
この電磁リレーＡは、以下に説明する構成部材を含み、ボビンブロック３３の下方に、ベースブロック６、裏ブタ１３を組付けて構成された、図４に示すユニット体を、更に絶縁性カバーケース１１で覆い、その完成品は、図５（ａ），（ｂ）に示したように、カバーケース１１の底面より、後述するコイル端子４ａ，接点端子４ｂ，接点端子１２ａ，接点端子１２ｂを突出させた構造になっており、不図示の回路基板上に実装されるようになっている。ここに、接点端子４ｂはＣＯＭ端子、接点端子１２ａはＮＯ端子（常開端子）、接点端子１２ｂはＮＣ端子（常閉端子）を構成している。
【００１２】
ボビンブロック３３は、コイルボビン３、絶縁ベース５、コイル端子４ａ、接点４ｂ、接点端子１２ａ、固定接点７とを備えている。
絶縁ベース５では、その上面に、コイルボビン３を載置し、絶縁ベース５の裏面には固定接点７を備えている。
絶縁ベース５と、コイルボビン３とは巻枠部３４（図３参照）を介して一体成形されており、絶縁ベース５には、コイル端子４ａ、接点端子４ｂ、接点端子１２ｂがインサート成形によって一体化されている。接点端子１２ａ，１２ａには固定接点７が、接点端子１２ｂ，１２ｂには固定接点６２がそれぞれ接続されている。
コイルボビン３は、ボビン本体３２の巻枠部３４に通電コイル３１を巻装した構造としており、ボビン本体３２は、鉄芯１の端部１ｂを貫通させて固定するための孔部３２ａと、先尖状のボビン先端部３２ｂとを備えている。
裏ブタ１３は、接点端子４ａ、接点端子４ｂ、接点端子１２ａに応じた凹所１３ａを形成している。
【００１３】
鉄芯１は、接極子吸着部をなす、底部が略５角形状の頭部１ａと、ボビン本体３に設けた孔部３２ａと、継鉄２の孔部２ａに貫通させて結合させるための上端部１ｂとを備えており、絶縁ベース５の裏面より差し込んで、上端部１ｂを、継鉄２の孔部２ａを介して、ボビン本体３２の孔部３２ａに貫通させて固定している。
【００１４】
継鉄２は、ボビン本体３の孔部３２ａと略同口径の孔部２ａを有しており、継鉄２は、鉄芯１の上端部１ｂを孔部２ａに貫通させて固定する。
継鉄２は、そこに形成された孔部２ｂ、２ｂに、接触バネ１０に形成した突起１０ａ、１０ａを嵌入して、カシメや溶接などによって固着されており、接触バネ１０の一組の腕部１０ｂ、１０ｂは、その腕先端子１０ｄ、１０ｄと、接点端子４ｂ、４ｂの凸部４１ｂ、４１ｂとを面接触させ溶接して固着している。
【００１５】
また、接触バネ１０には、屈曲部１０ｃが形成され、屈曲部１０ｃには可動接点９１，９２を形成した板バネ９が固着されている。この屈曲部１０ｃには、磁性体で構成され、板バネ９に固着させた接極子８が取付けられている。接極子８は、継鉄２に揺動可能に固着され、板バネ９により、鉄芯１の下端部１ａより離反する方向の弾性力が付与されている。
【００１６】
ベースブロック６は固定接点６２を有し、その上面に形成した凸部６ｂを絶縁ベース５に形成した孔部５ａに挿嵌して熱着されており、絶縁ベース５との間に形成される空間には、前述した接極子８、可動接点９１，９２を表、裏面に形成した板バネ９が収容されている。
【００１７】
ついで、鉄芯と、継鉄、接極子との関係を説明する。
図２（ａ）、図２（ｂ）は鉄芯、図２（ｃ）、図２（ｄ）は、継鉄と鉄芯との位置関係を示す説明図である。
図２（ａ）、図２（ｂ）に示すように、鉄芯１は、略５角形状の頭部１ａと、継鉄２の孔部２ａと略同口径の上端部１ｂとを有しており、継鉄２に固着させた場合には、接極子８の吸着部分８ａが頭部１ａの下方に位置しており、通電コイル３１に通電を行うと、鉄芯１と接極子８との間には磁力が作用して、鉄芯１の頭部１ａは、接極子８の対向部分である吸着部分８ａに吸着されるが、鉄芯１の頭部１ａは略五角形状に形成され、図２（ｄ）の斜線に示したように接極子８の対向する部分（吸着部分８ａ）の寸法形状に合致した面積Ｓを有している。
【００１８】
図３（ａ）は本発明の電磁リレーの側面構造、（ｂ）は本発明の電磁リレーの底面構造を示している。
絶縁ベース５と、裏ブタ１３、ベースブロック６とで構成された空間部には、表裏に可動接点９１，９２を有した板バネ９と、固定接点７、６２が収容され、トランスファー制御接点を構成している。ここに固定接点７はＮＯ接点、固定接点６２はＮＣ接点を構成している。
【００１９】
以上のような電磁リレーによれば、通電コイル３１が通電されない場合には、接極子８は、板バネ９の弾性復元力により、鉄芯１の頭部１ａより離反し、このため可動接点９１は固定接点７から離隔し、可動接点９２は固定接点６２に接触している。
ところが、通電コイル３１を通電すると、鉄芯１には磁力が作用するので、接極子８は、板バネ９の弾性復帰力に打ち克って、鉄芯１の頭部１ａに吸着される。その結果、板バネ９に備えた可動接点９１は固定接点７に接触し、可動接点９２は固定接点６２から離隔する。
【００２０】
図５は、本発明の電磁リレーにケースを被せた状態を示した外観斜視図であり、（ａ）はスルーホール貫通型電磁リレーの構成例、（ｂ）は面実装型電磁リレーの構成例を示している。
図５（ａ）に示す電磁リレーＡでは、コイル端子４ａ、接点端子４ａ，１２ａ，１２ｂが垂直に延び、先端を先細り形状としている。図５（ｂ）に示す電磁リレーＡ´は、コイル端子４ａ、接点端子４ｂ，１２ａ，１２ｂが直角に折曲加工されている。
なお、上記の実施例では、制御接点はトランスファー型を有したものを説明したが、通常のノーマルオープン型、オープンクローズ型の制御接点を備える構成にしてもよいことはいうまでもない。
【図面の簡単な説明】
【００２１】
【図１】本発明の電磁リレーの分解斜視図
【図２】（ａ），（ｂ）は鉄芯、（ｃ），（ｄ）は、接極子と鉄芯との位置関係を示す説明図。
【図３】（ａ）は本発明の電磁リレーの側面構造図、（ｂ）は電磁リレーの底面図
【図４】本発明の電磁リレーの一実施例を示す外観斜視図。
【図５】（ａ），（ｂ）は電磁リレーにカバーを被せた状態を示した外観斜視図。
【図６】従来の電磁リレーの説明図で、（ａ），（ｂ）は鉄芯、（ｃ），（ｄ）は、接極子と鉄芯との位置関係を示す説明図。
【符号の説明】
【００２２】
Ａ  電磁リレー
１  鉄芯
１ａ  鉄芯の頭部（接極子吸着面）
２  継鉄
３  コイルボビン
８  接極子
９  板バネ
１０  接触バネ
１１  ケース
１３  裏ブタ
３１  通電コイル
３２  ボビン本体
３３  ボビンブロック
９１，９２  可動接点
７，６２  固定接点
【図１】
2007317505.tif 000003
【図２】
2007317505.tif 000004
【図３】
2007317505.tif 000005
【図４】
2007317505.tif 000006
【図５】
2007317505.tif 000007
【図６】
2007317505.tif 000008